(57)【要約】【課題】近隣に居住する複数の親しい知人がメンバーとして自主的に参加し、簡易な異常検知システムを設置して互助ネットワークを構築することにより、住居侵入者等の異常に対して防犯、犯罪対処の専門家を配置した地域ネットワークの直接サポートを得つつ、警察等の行政機関に実効的な対処を要請することにより住居及び地域のホームセキュリティのレベルを向上することを課題とする。【解決手段】本発明のホームセキュリティの方法は、任意参加者が作る互助ネットワークのメンバーの住居に対する侵入者を電子・光学等のセンサー群を中心にした通信電子システムで構築した異常検知システムによって検知して、互助ネットワークのメンバー及び地域ネットワークに侵入者情報を自動通報することにより、互助ネットワークのメンバーが自主的に安全な場所から観察すると共に、地域ネットワークの防犯、犯罪対処専門家が中心になって住居侵入者の動きを把握した上で警察等の行政機関に対処を要請する。【選択図】図１
2009211674.tif 000002
【特許請求の範囲】
【請求項１】
「どうしましたか」互助ネットワークに所属するメンバーの住居に侵入者の立ち入り等の異常が発生したとき、複数の各種センサーによって検知する異常検知ステップと、検知情報の誤判断を回避するために侵入者に違いないと判定する判定ステップと、異常と判定した結果を所属するメンバー及び上位組織である「どうしましたか」互助ネットワークに速報する伝送ステップと、侵入者等の異常検知ステップ、判定ステップ及び伝送ステップの作動を記録する記録ステップからなる「どうしましたか」異常検知サブシステムを特徴とする安全安心の管理方法。
【請求項２】
「どうしましたか」異常検知サブシステムを設置したメンバーの住居から伝送ステップで発信された異常検知情報を伝送路等で発生した不要情報をソフトウエアで排除したあとで互助ネットワーク中枢として把握する互助集信ステップと、互助ネットワーク中枢が把握した異常検知情報を自動的に互助ネットワークの全てのメンバーに伝達する互助配信ステップと、上位組織である「どうしましたか」地域ネットワークに通報する互助速報ステップと、互助集信ステップ、互助配信ステップ及び互助速報ステップの活動を記録する互助記録ステップからなる「どうしましたか」互助ネットワークサブシステムを特徴とする安全安心の管理方法。
【請求項３】
広域に散在する「どうしましたか」互助ネットワーク及び互助ネットワーク中枢から通報された異常検知情報に基づいて自主的に観察にたずさわった観察者から通報された観察情報を把握する地域集信ステップと、独自に作成したデータベース等を利用して観察者の観察要領と危険回避要領等を助言すると共に異常検知情報の自動通報はあったにもかかわらず観察情報が通報されてこない「どうしましたか」互助ネットワークに加入しているメンバーに観察を要請する業務を行う地域サポートステップと、「どうしましたか」互助ネットワークのメンバーの住居で発生している異常検知情報と地域ネットワークに蓄えられている関連データを警察等の行政機関に速報して対処を要請する地域速報ステップと、地域集信ステップ、地域サポートステップ、及び地域速報ステップの活動を記録する地域記録ステップからなる「どうしましたか」地域ネットワークサブシステムを特徴とする安全安心の管理方法。
【発明の詳細な説明】
【技術分野】
【０００１】  本発明は、電子・光学等のセンサーを中心にした電子通信システムによって住居侵入者等の異常の検知、判定、対処を短時間に行うと共に、これらの特性を互助ネットワークと地域ネットワークの機能により補強した安全安心の管理方法に関するものである。
【背景技術】
【０００２】  住居侵入者等を検知する各種のセンサーは開発されているが、誤報を回避することにより異常検知情報の質の向上を図り、廉価なハードウエアとソフトウエアによってシステムを構成して実用化することはこれからの課題である。【０００３】  検知センサーとしては、可視光から赤外線にわたる光学センサー、電磁波又は電子的に形状、振動、接触、圧力、温度等を検出するセンサーが各種開発されているが、住居への侵入者等の異常を検知するという視点から機能、性能を特化した廉価なセンサー又はシステムはまだ開発に期待されるところが大きい。【０００４】  検知センサーの作動信号を住居への侵入者等と侵入者以外の事象に区分して、誤報を回避する廉価なシステムの開発が必要である。【０００５】  住居に侵入した犯罪者の行動時間は短時間であり、検知、判定、観察、通報及び対処という安全安心の管理に関わる全てのプロセスを行うことは時間的制約があるため非常に厳しいという問題がある。【０００６】  検知、判定、観察、通報等の活動記録は、侵入者等の特定、犯罪の解決等に役立つデータが含まれるので、費用対効果を考慮しつつ記録機能を整える必要がある。
【発明の開示】
【発明が解決しようとする課題】
【０００７】  本発明は、以上述べたような問題を考慮した上でなされたものであり、個々に既に開発されているセンサーデバイス、データベース等の機器デバイス等と伝送路については十分に機能、性能を発揮させつつ活用すると共に、住居侵入の検知というテーマに特化した閾値を設定することにより誤報を避け、かつコストを一般住居に普及できるレベルに低廉に抑えることを重視しており、本発明に基づくシステムを実用する互助ネットワークのメンバーが連帯感を高め、警察、消防等の行政機関と密接な信頼感を醸成することにより結果的に居住者と行政機関の双方の経済的及び精神的な負担を小さく抑えることを目的としたものである。
【課題を解決するための手段】
【０００８】  上記の課題は、以下の手段によって解決される。
第１番目の発明は、「どうしましたか」互助ネットワークのメンバーが住居に設置するセンサーデバイスについて、地震、雷、台風等の自然現象及び犬、猫等の小動物の動きを住居侵入者等による異常と判定しないような閾値をシミュレーションによって求めて、「どうしましたか」システムの機能を侵入者等に特化できるように設定した異常検知ステップと、複数のセンサーデバイスの検知結果を複合的に評価して侵入者等であると判定するインテリジェント機能を備えた判定ステップと、低コストで誤報の生じないような情報伝達能力を備えた伝送ステップと、各ステップの活動記録を必要最小限に記録する記録ステップで構成して、廉価になることを重視しているシンプルな「どうしましたか」異常検知サブシステムであることを特徴とする安全安心の管理方法である。【０００９】  第２番目の発明は、「どうしましたか」互助ネットワークサブシステムが能力を効果的に発揮するように、「どうしましたか」異常検知サブシステムの異常検知情報を適確に把握する互助集信ステップと、至短時間に互助ネットワークのメンバー全員及び「どうしましたか」地域ネットワークに伝達する互助配信ステップと、互助速報ステップとしての機能、性能を備える。「どうしましたか」互助ネットワークサブシステムの構成メンバーの中から選出したメンバーの一人であるＢ氏宅を互助ネットワーク中枢に指定して互助ネットワークサブシステムの各ステップを集中的に設置する。互助ネットワークのメンバーＡ宅で発生した異常検知情報は互助ネットワーク中枢に伝え、互助ネットワーク中枢から他の構成メンバー等に通報する。異常検知情報を受けて自主的に観察者になったメンバーは「どうしましたか」地域ネットワークに直結して安全を重視しつつ観察業務処理の迅速化と適切化を図る方式の互助ネットワークサブシステムであることを特徴とする安全安心の管理方法である。【００１０】  第３番目の発明は、「どうしましたか」地域ネットワークの能力を効果的に発揮させるため、「どうしましたか」互助ネットワーク及び観察者が短時間に適確に目的を達成するようにハードウエア及びソフトウエアでデザインすると共に警察等の行政機関との連帯関係を密接にできるようにデザインした地域ネットワークサブシステムであることを特徴とする安全安心の管理方法である。【００１１】  以上述べたように、本発明では異常検知サブシステム、互助ネットワークサブシステム及び地域ネットワークサブシステムが整斉と機能するようにシステムデザインをしている。ただし、実用期間を積み重ねて得られるノウハウにより、システム及びステップに設定した閾値等を変更可能にした「どうしましたか」システムであることを特徴とする安全安心の管理方法である。
【発明の効果】
【００１２】  「どうしましたか」システムの運用を継続して犯罪が減少する等の効果が得られることにより関係者の連帯感と信頼感が増大する。その結果、犯罪を犯し難い場所、地域になったと感じることにより「どうしましたか」システムの機能、性能及び影響力を更に強化、向上させることが可能になる。【００１３】  「どうしましたか」システムは、全体システムのシンプル化と「どうしましたか」異常検知サブシステムの簡明化と保守整備の簡易性を図っており、当初から利用者が負担するコストの低廉化に努めることになるが、広域に普及することによる量産化が可能になり更なるコストの低廉化が期待できる。
【発明を実施するための最良の形態】
【００１４】  以下、図面に基づいて本発明の実施例を説明する。
【実施例１】
【００１５】  図１は本発明にかかわる安全安心の管理方法を説明するためのものであって、「どうしましたか」システム１を構成するサブシステム及び異常発生時の情報の流れを示した説明図である。【００１６】  本発明にかかわる安全安心の管理方法を実施するに当たり、近所に住んでいる気心の知れた親しい隣人がメンバーとなり、互助、善意の「どうしましたか」互助ネットワークを作る。この互助ネットワークの構成範囲は歩いて行ける１００〜２００ｍ以内の狭いエリアに限定することにより異常発生時の自主的な観察を容易にして負担感を感じないようにすると共に、互助ネットワークは加入しやすい小額の経費で負担できるようにシンプルにデザインすることによりメンバーに参加できるようにする。【００１７】  図１で示されるように、互助ネットワークのメンバー宅に「どうしましたか」異常検知サブシステム２を設置して、異常が検知された場合は異常検知情報を「どうしましたか」互助ネットワークサブシステム３に自営通信または公衆通信によって自動通報する。【００１８】  互助ネットワークのメンバーＡ氏宅から異常検知情報が伝達された場合、「どうしましたか」互助ネットワークサブシステム３は、互助ネットワークのＡ氏宅以外のメンバー１４全員に対してメンバーＡ氏宅の異常検知情報を自営通信又は公衆通信によって自動通報すると共に、複数の互助ネットワークが広域にわたって散在している地域を包括している「どうしましたか」地域ネットワークサブシステム４に公衆通信によって自動通報する。【００１９】  「どうしましたか」互助ネットワークサブシステム３からＡ氏宅の異常検知情報を自動通報でうけた互助ネットワークサブシステム３のメンバーの中で自主的に行動ができるＣ氏が観察者５となり、観察情報を「どうしましたか」地域ネットワークサブシステム４に対して携帯電話等の公衆通信によって通報する。「どうしましたか」地域ネットワークサブシステム４は観察者５に対して安全を充分に確保すること及びより詳しい観察情報を得る方法等を助言する。【００２０】  「どうしましたか」地域ネットワークサブシステム４は、「どうしましたか」互助ネットワークサブシステム３から提供されたＡ氏宅の異常検知情報及び観察者５の観察情報等を総合的に分析して、警察等の行政機関６に住宅侵入者情報として通報する必要があると判断した場合は公衆通信を用いてその対処を要請することにより、「どうしましたか」システム１は安全安心の管理機能を発揮する。【００２１】  図２で示すとおり、Ａ氏宅の「どうしましたか」異常検知サブシステム２は不審者によって発生した異常に対して、検知７、判定８、伝送９及び記録１０の機能を備えており、異常検知情報は「どうしましたか」互助ネットワークサブシステム３に自動的に伝達される。【００２２】  検知７は不審者等の侵入を検知するセンサー群であり、検知した情報はその価値を評価する判定８に伝達されると共に記録１０において記録する。【００２３】  判定８は検知７の情報を異常、あるいは誤作動と識別して、異常であると判定した情報は伝送９に送達すると共に記録１０において記録する。【００２４】  伝送９は異常情報を互助ネットワークサブシステム３の互助ネットワーク���枢１１に送達すると共に記録１０に記録する。【００２５】  記録１０は「どうしましたか」異常検知サブシステム２で取り扱った異常発生情報を記録して、異常発生の全況を爾後の処理、検証等に供するために保管する。【００２６】  図３で示すとおり、「どうしましたか」互助ネットワークサブシステム３は「どうしましたか」異常検知サブシステム２から送達された異常検知情報に対して、互助集信１２、互助配信１３、互助速報１５、及び互助記録１６の機能を備えており、異常検知情報は自動的に「どうしましたか」地域ネットワークサブシステムに送達される。互助ネットワークのメンバー１４の中で選出された特定のメンバーＢ氏宅を互助ネットワーク中枢１１に指定して、「どうしましたか」互助ネットワークサブシステムを構成する互助集信１２と互助配信１３と互助速報１５及び互助記録１６を集中的に互助ネットワーク中枢１１に設置する。【００２７】  互助集信１２は「どうしましたか」異常検知サブシステム２からＡ氏宅における異常検知情報を受信して、互助配信１３及び互助速報１５に伝達すると共に互助記録１６において記録する。【００２８】  互助配信１３はＡ氏宅における異常検知情報をＡ氏以外の「どうしましたか」互助ネットワークのメンバー１４に伝達すると共に、互助記録１６において記録する。【００２９】  互助速報１５は異常検知情報を「どうしましたか」地域ネットワークサブシステム４に伝達すると共に互助記録１６において記録する。【００３０】  互助記録１６は「どうしましたか」互助ネットワークサブシステム３で取り扱った異常発生情報を記録して、異常発生の全況と爾後の処理、検証等に供するために保管する。【００３１】  図４で示すとおり、「どうしましたか」地域ネットワークサブシステム４は「どうしましたか」互助ネットワークサブシステム３から送達された異常検知情報に対して、地域集信１７、地域サポート１８、地域速報１９及び地域記録２０の機能を備えており、総合的な分析を加えて必要と判断をしたときに異常発生事象の状況を警察等の行政機関６に速報して、対処を要請する。【００３２】  地域集信１７は、所管する地域内の「どうしましたか」互助ネットワークサブシステム３及び観察者５から伝達された異常検知情報及び観察情報を受信して、地域サポート１８に速報すると共に地域記録２０で記録する。【００３３】  地域サポート１８は、自動速報された異常検知情報及び観察者５の情報に加えて、地域サポート１８で整備したデータベース等を活用しつつ、異常発生状況を把握することにより、警察等の行政機関６に対処を要請すべきか不要かを判断して、必要な措置を行う。地域サポート１８は異常が発生した互助ネットワーク内で自主的な観察者５が不在のときは、当該互助ネットワークサブシステムのメンバー１４に重ねて自主的な観察を要請することが考えられる。【００３４】  地域サポート１８の重要なミッションとして自主的な観察者５の安全に充分に配慮することがある。
以上に述べた地域サポート１８の活動状況は情報データ、判断及び対処の全ての面で脱落がないように地域記録２０において記録する。【００３５】  地域速報１９は異常事態が警察等の行政機関６によって対処すべきであると判断したときは、その事案を警察等の行政機関６が緊急に処理するように要請すると共に地域記録２０に記録する。【００３６】  地域記録２０は「どうしましたか」地域ネットワークサブシステム４が関わった全ての情報及び活動記録を記録して、異常発生の全況を把握して爾後の処理、検証等に供するため保管する。
【実施例２】
【００３７】  図５に示すように犯罪等多発地域の互助ネットワークサブシステム３の設置場所又はそれ以外の場所に「どうしましたか」互助ネットワークサブシステム３と提携する目的で異常発生時に協力を求めることができる協力者２２を配置する観察拠点２１を警察、消防等の行政機関の援助のもとに設置することが考えられる。観察拠点２１と協力者２２を「どうしましたか」地域サポート１８の管轄下に入れる補強策２３によって、本発明に関わる「どうしましたか」システム１の安全安心の管理方法は補強される。
【実施例３】
【００３８】  図６に示すように「どうしましたか」異常検知サブシステム２を設置した「どうしましたか」互助ネットワークの全てのメンバー１４宅に緊急時のための「ＳＯＳ」発信機能２４を備えておき、「どうしましたか」地域ネットワークサブシステム４の地域サポート１８に速報伝送回線で直接的にＳＯＳ信号が到達するようにデザインする。ＳＯＳ信号を受けた地域サポート１８は公衆通信回線でＳＯＳ発信者２５に直接連絡をとり、火災、救急、介護、その他の緊急事態に救援措置をとることを意図したＳＯＳによる補強策２６によって本発明に関わる「どうしましたか」システム１の安全安心の管理方法は補強される。
【図面の簡単な説明】
【００３９】
【図１】本発明にかかる「どうしましたか」システム１全体の説明図である。
【図２】第１番目の発明、「どうしましたか」異常検知サブシステム２の説明図である。
【図３】第２番目の発明、「どうしましたか」互助ネットワークサブシステム３の説明図である。
【図４】第３番目の発明、「どうしましたか」地域ネットワークサブシステム４の説明図である。
【図５】実施例２で示した観察拠点２１と協力者２２による本発明の補強策の説明図である。
【図６】実施例３で示したＳＯＳ補強策２６による本発明の補強策の説明図である。
【符号の説明】
【００４０】  １．  「どうしましたか」システム
２．  「どうしましたか」異常検知サブシステム
３．  「どうしましたか」互助ネットワークサブシステム
４．  「どうしましたか」地域ネットワークサブシステム
５．  「観察者」
６．  警察等の行政機関
７．  検知
８．  判定
９．  伝送
１０．記録
１１．互助ネットワーク中枢
１２．互助集信
１３．互助配信
１４．互助ネットワークサブシステムのメンバー
１５．互助速報
１６．互助記録
１７．地域集信
１８．地域サポート
１９．地域速報
２０．地域記録
２１．観察拠点
２２．協力者
２３．観察拠点２１と協力者２２による補強策
２４．ＳＯＳ発信機能
２５．ＳＯＳ発信者
２６．ＳＯＳによる補強策
【図１】
2009211674.tif 000003
【図２】
2009211674.tif 000004
【図３】
2009211674.tif 000005
【図４】
2009211674.tif 000006
【図５】
2009211674.tif 000007
【図６】
2009211674.tif 000008